(57)【要約】【課題】簡単な構成で、セパレータの面内に沿って反応ガスを円滑且つ均一に供給することができ、発電面内の発電効率を向上させることを可能にする。【解決手段】燃料電池１０は、電解質膜・電極構造体１２を挟持する矩形状の第１及び第２金属セパレータ１４、１６を備える。突起部３６ａと第１金属セパレータ１４との間には、燃料ガス流路３８が形成されるとともに、突起部４０ａと第２金属セパレータ１６との間には、酸化剤ガス流路４２が形成される。燃料ガス流路３８は、互いに対向する第１及び第２の略Ｕ字状流路３８ａ、３８ｂを構成する。【選択図】図１
2005100753.tif 000002
【特許請求の範囲】
【請求項１】
電解質の両側にアノード側電極とカソード側電極とが設けられた電解質・電極構造体と、前記電解質・電極構造体を挟持する第１及び第２セパレータとを備え、前記アノード側電極と前記第１セパレータとの間には、電極面に沿って燃料ガスを供給する燃料ガス流路が形成されるとともに、前記カソード側電極と前記第２セパレータとの間には、電極面に沿って酸化剤ガスを供給する酸化剤ガス流路が形成される燃料電池であって、
前記燃料ガス流路は、前記第１セパレータの面内に沿って延在する少なくとも２系統の略Ｕ字状流路を構成する一方、
前記酸化剤ガス流路は、前記第２セパレータの面内に沿って延在する略直線状流路を構成することを特徴とする燃料電池。
【請求項２】
請求項１記載の燃料電池において、前記第１セパレータは、矩形状に構成されるとともに、
互いに対向する第１の辺と第２の辺とに、それぞれ燃料ガス入口及び燃料ガス出口が形成されることにより、前記第１セパレータの面内には、互いに対向する２系統の前記略Ｕ字状流路が設けられることを特徴とする燃料電池。
【請求項３】
請求項２記載の燃料電池において、前記第２セパレータは、矩形状に構成されるとともに、
前記第１及び第２の辺に交差する第３の辺には、酸化剤ガス入口が形成され、さらに該第３の辺に対向する第４の辺には、酸化剤ガス出口が形成されており、
前記酸化剤ガス流路は、前記酸化剤ガス入口と前記酸化剤ガス出口とを連通し且つ前記略Ｕ字状流路と略対向流に構成されることを特徴とする燃料電池。
【請求項４】
請求項１乃至３のいずれか１項に記載の燃料電池において、前記第１及び第２セパレータは、金属セパレータで構成されるとともに、
前記燃料ガス流路及び前記酸化剤ガス流路は、少なくとも一部が複数の突起部により形成されることを特徴とする燃料電池。
【発明の詳細な説明】
【技術分野】
【０００１】
本発明は、電解質の両側にアノード側電極とカソード側電極とが設けられた電解質・電極構造体と、前記電解質・電極構造体を挟持する矩形状の第１及び第２セパレータとを備える燃料電池に関する。
【背景技術】
【０００２】
例えば、固体高分子型燃料電池は、高分子イオン交換膜（陽イオン交換膜）からなる電解質膜（電解質）を採用している。この電解質膜の両側に、それぞれカーボンを主体とする基材に貴金属系の電極触媒層を接合したアノード側電極及びカソード側電極を対設した電解質膜・電極構造体を、セパレータによって挟持することにより燃料電池が構成されている。
【０００３】
この種の燃料電池において、アノード側電極に供給された燃料ガス、例えば、主に水素を含有するガス（以下、水素含有ガスともいう）は、電極触媒上で水素がイオン化され、電解質を介してカソード側電極側へと移動する。その間に生じた電子は外部回路に取り出され、直流の電気エネルギとして利用される。なお、カソード側電極には、酸化剤ガス、例えば、主に酸素を含有するガスあるいは空気（以下、酸素含有ガスともいう）が供給されているために、このカソード側電極において、水素イオン、電子及び酸素が反応して水が生成される。
【０００４】
上記の燃料電池では、セパレータの面内に、アノード側電極に対向して燃料ガスを流すための燃料ガス流路と、カソード側電極に対向して酸化剤ガスを流すための酸化剤ガス流路とが設けられている。また、セパレータ間には、必要に応じて冷却媒体を流すための冷却媒体流路が前記セパレータの面方向に沿って設けられている。そして、燃料ガス流路、酸化剤ガス流路及び冷却媒体流路は、一般的にセパレータの積層方向に貫通する流路入口から流路出口に向かって前記セパレータの面内に沿って移動するように構成されている。
【０００５】
例えば、特許文献１に開示されている燃料電池用セパレータでは、図９に示すように、セパレータ板１を備えている。このセパレータ板１は、エンボス加工乃至ディンプル加工が容易な金属材料で構成されており、その表裏両面には、数ｍｍ間隔で多数の突起２、３がエンボス加工乃至ディンプル加工により形成されている。
【０００６】
セパレータ板１の両側縁部には、例えば、燃料ガス入口４ａ及び燃料ガス出口４ｂが設けられるとともに、前記セパレータ板１の上下両端縁部には、例えば、酸化剤ガス入口５ａ及び酸化剤ガス出口５ｂが設けられている。
【０００７】
突起２は、セパレータ板１の一方の面１ａ側に突出しており、前記突起２間には、燃料ガス入口４ａと燃料ガス出口４ｂとに連通する燃料ガス流路６が形成されている。突起３は、セパレータ板１の他方の面１ｂ側に突出しており、前記突起３間には、酸化剤ガス入口５ａと酸化剤ガス出口５ｂとに連通する酸化剤ガス流路７が形成されている。
【０００８】
このような構成において、例えば、燃料ガス入口４ａに供給された燃料ガスは、セパレータ板１の一方の面１ａに供給されると、突起２間に連続して形成されている燃料ガス流路６を通って図示しない電極に供給されるとともに、未使用の燃料ガスが燃料ガス出口４ｂに排出される。
【０００９】
一方、酸化剤ガス入口５ａに供給された酸化剤ガスは、セパレータ板１の他方の面１ｂに突起３間に連続して形成されている酸化剤ガス流路７を介し、図示しない電極に供給されるとともに、未使用の酸化剤ガスが酸化剤ガス出口５ｂに排出される。
【００１０】
【特許文献１】特開平８−２２２２３７号公報（段落［００１５］、［００１６］、図３）
【発明の開示】
【発明が解決しようとする課題】
【００１１】
ところが、セパレータ板１では、酸化剤ガス出口５ｂを下にして立位姿勢で使用される際、特に一方の面１ａ内の上部側には、燃料ガス出口４ｂに近接して燃料ガスが供給され難い領域Ｓが発生してしまう。燃料ガスの流量は、酸化剤ガスの流量に比べて相当に小さいからである。これにより、電極面の隅部に燃料ガスが十分に供給されず、発電不良が惹起されて前記電極面内での発電が不均一になるという問題がある。
【００１２】
しかも、領域Ｓでは、燃料ガスの流速が大幅に遅くなってしまうため、結露した水が滞留し易くなる。このため、この領域Ｓでは、さらに発電し難くなるという問題がある。
【００１３】
本発明はこの種の問題を解決するものであり、簡単な構成で、セパレータの面内に沿って反応ガスを円滑且つ均一に供給することができ、発電面内の発電効率を向上させることが可能な燃料電池を提供することを目的とする。
【課題を解決するための手段】
【００１４】
本発明の燃料電池では、電解質の両側にアノード側電極とカソード側電極とが設けられた電解質・電極構造体と、前記電解質・電極構造体を挟持する第１及び第２セパレータとを備え、前記アノード側電極と前記第１セパレータとの間には、電極面に沿って燃料ガスを供給する燃料ガス流路が形成されるとともに、前記カソード側電極と前記第２セパレータとの間には、電極面に沿って酸化剤ガスを供給する酸化剤ガス流路が形成されている。
【００１５】
そして、燃料ガス流路は、第１セパレータの面内に沿って延在する少なくとも２系統の略Ｕ字状流路を構成する一方、酸化剤ガス流路は、第２セパレータの面内に沿って延在する略直線状流路を構成している。
【００１６】
また、第１セパレータは、矩形状に構成されるとともに、互いに対向する第１の辺と第２の辺とに、それぞれ燃料ガス入口及び燃料ガス出口が形成されることにより、前記第１セパレータの面内には、互いに対向する２系統の略Ｕ字状流路が設けられることが好ましい。
【００１７】
さらに、第２セパレータは、矩形状に構成されるとともに、第１及び第２の辺に交差する第３の辺には、酸化剤ガス入口が形成され、さらに該第３の辺に対向する第４の辺には、酸化剤ガス出口が形成されており、酸化剤ガス流路は、前記酸化剤ガス入口と前記酸化剤ガス出口とを連通し且つ略Ｕ字状流路と略対向流に構成されることが好ましい。
【００１８】
さらにまた、第１及び第２セパレータは、金属セパレータで構成されるとともに、燃料ガス流路及び酸化剤ガス流路は、少なくとも一部が複数の突起部により形成されることが好ましい。
【発明の効果】
【００１９】
本発明によれば、燃料ガス流路が、第１セパレータの面内に沿って延在する少なくとも２系統の略Ｕ字状流路を構成するため、電極面の隅部にも燃料ガスを確実に供給することができる。これにより、電極面の隅部に燃料ガスの供給不足が発生することがなく、発電不良が阻止されて前記電極面内での発電分布が容易に均一化される。
【００２０】
しかも、電極面の隅部では、燃料ガスの流速が遅くなることがなく、結露水の排水性が良好に向上する。さらに、燃料ガス入口及び燃料ガス出口において、燃料ガスの流量及び流速が均一化されるため、電解質・電極構造体の耐久性が向上するとともに、圧損の低減も図られる。
【００２１】
一方、酸化剤ガス流路は、第２セパレータの面内に沿って延在する略直線状流路を構成しており、燃料ガスに比べて流量の大きな酸化剤ガスは、電極面内に均一に供給される。従って、簡単な構成で、電極面内での発電分布が均一化されるとともに、結露水の排水が円滑に遂行可能になる。
【００２２】
また、互いに対向する２系統の略Ｕ字状流路が設けられることにより、電極面の隅部における燃料ガスの供給不足が可及的に阻止され、前記電極面内にわたって前記燃料ガスを円滑且つ均一に供給することができる。
【００２３】
さらに、燃料ガス流路を構成する略Ｕ字状流路と、酸化剤ガス流路とが、略対向流を構成することにより、前記酸化剤ガス流路の生成水が前記燃料ガス流路に有効に拡散する。特に、酸化剤ガス出口側の酸化剤ガス流路に向かって増加する生成水は、電解質膜を介してアノード電極側に逆拡散することにより、燃料ガスを加湿する。このため、燃料電池は、無過失乃至低加湿の運転が容易に遂行される。
【００２４】
さらにまた、第１及び第２セパレータには、エンボス乃至ディンプル加工によって複数の突起部が形成されるため、簡単な構成で、所望の燃料ガス流路及び酸化剤ガス流路、さらには冷却媒体流路が容易に形成される。
【発明を実施するための最良の形態】
【００２５】
図１は、本発明の第１の実施形態に係る燃料電池１０の要部分解斜視図であり、図２は、前記燃料電池１０の一部断面説明図である。
【００２６】
図１に示すように、燃料電池１０は、電解質膜・電極構造体（電解質・電極構造体）１２と、前記電解質膜・電極構造体１２を挟持する矩形状の第１及び第２金属セパレータ１４、１６とを備え、これらが矢印Ａ方向に積層される。第１及び第２金属セパレータ１４、１６は、金属製薄板により構成されている。電解質膜・電極構造体１２と第１及び第２金属セパレータ１４、１６とは、略正方形に構成される。
【００２７】
燃料電池１０は、全体として矩形状に構成されており、上下方向（矢印Ｃ方向）に離間して互いに対向する第１及び第２の辺１８ａ、１８ｂと、左右方向（矢印Ｂ方向）に離間して互いに対向する第３及び第４の辺１８ｃ、１８ｄとを有する。
【００２８】
燃料電池１０の第１の辺１８ａには、矢印Ａ方向に互いに連通して、燃料ガス、例えば、水素含有ガスを供給するための第１燃料ガス入口２０ａと、前記燃料ガスを排出するための第１燃料ガス出口２０ｂと、冷却媒体を排出するための冷却媒体出口２２ｂとが設けられる。燃料電池１０の第２の辺１８ｂには、同様に矢印Ａ方向に互いに連通して、燃料ガスを供給するための第２燃料ガス入口２４ａと、前記燃料ガスを排出するための第２燃料ガス出口２４ｂと、冷却媒体を供給するための冷却媒体入口２２ａとが設けられる。
【００２９】
燃料電池１０の第３の辺１８ｃには、矢印Ａ方向に互いに連通して、酸化剤ガス、例えば、酸素含有ガスを供給するための第１及び第２酸化剤ガス入口２６ａ、２８ａが設けられる。燃料電池１０の第３の辺１８ｃには、同様に矢印Ａ方向に互いに連通して、酸化剤ガスを排出するための第１及び第２酸化剤ガス出口２６ｂ、２８ｂが設けられる。
【００３０】
電解質膜・電極構造体１２は、例えば、パーフルオロスルホン酸の薄膜に水が含浸された固体高分子電解質膜（電解質）３０と、前記固体高分子電解質膜３０を挟持するアノード側電極３２及びカソード側電極３４とを備える。
【００３１】
アノード側電極３２及びカソード側電極３４は、矩形状に構成されており、カーボンペーパ等からなるガス拡散層と、白金合金が表面に担持された多孔質カーボン粒子が前記ガス拡散層の表面に一様に塗布された電極触媒層とをそれぞれ有する。電極触媒層は、固体高分子電解質膜３０の両面に接合されている。
【００３２】
図１及び図３に示すように、第１金属セパレータ１４には、アノード側電極３２の電極面に対応する範囲にエンボス加工乃至ディンプル加工を介し、電解質膜・電極構造体１２に向かう面１４ａ及び該面１４ａとは反対の面１４ｂに交互に突出して複数の突起部３６ａ、３６ｂが設けられる。突起部３６ａとアノード側電極３２との間には、燃料ガス流路３８が設けられる。
【００３３】
この燃料ガス流路３８は、第１燃料ガス入口２０ａ及び第１燃料ガス出口２０ｂに連通する第１の略Ｕ字状流路３８ａと、第２燃料ガス入口２４ａ及び第２燃料ガス出口２４ｂに連通する第２の略Ｕ字状流路３８ｂとの２系統の流路を構成する。
【００３４】
図１及び図４に示すように、第２金属セパレータ１６には、カソード側電極３４の電極面に対応する範囲にエンボス加工乃至ディンプル加工を介し、電解質膜・電極構造体１２に向かう面１６ａ及び該面１６ａとは反対の面１６ｂに交互に突出して複数の突起部４０ａ、４０ｂが設けられる。突起部４０ａとカソード側電極３４との間には、酸化剤ガス流路４２が設けられる。
【００３５】
この酸化剤ガス流路４２は、第１及び第２酸化剤ガス入口２６ａ、２８ａと第１及び第２酸化剤ガス出口２６ｂ、２８ｂとに連通し、矢印Ｃ方向に延在する略直線状流路４２ａを構成する。この略直線状流路４２ａは、第１及び第２の略Ｕ字状流路３８ａ、３８ｂと略対向流に構成される。
【００３６】
第２金属セパレータ１６の面１６ｂには、突起部３６ｂ、４０ｂを介して冷却媒体入口２２ａと冷却媒体出口２２ｂとを連通する冷却媒体流路４４が形成される。この冷却媒体流路４４は、冷却媒体を下方から上方に向かって流すように構成されているが、前記冷却媒体を上方から下方に向かって流してもよい。
【００３７】
第１金属セパレータ１４の面１４ａ、１４ｂには、この第１金属セパレータ１４の外周端部を周回して第１シール部材４６が一体成形される。第１シール部材４６は、面１４ａで第１及び第２燃料ガス入口２０ａ、２４ａと、第１及び第２燃料ガス出口２０ｂ、２４ｂと、燃料ガス流路３８とを囲繞してこれらを連通させる一方、面１４ｂで冷却媒体入口２２ａと、冷却媒体出口２２ｂと、冷却媒体流路４４とを囲繞してこれらを連通させる。
【００３８】
第２金属セパレータ１６の面１６ａ、１６ｂには、この第２金属セパレータ１６の外周端部を周回して第２シール部材４８が一体成形される。第２シール部材４８は、面１６ａで第１及び第２酸化剤ガス入口２６ａ、２８ａと、第１及び第２酸化剤ガス出口２６ｂ、２８ｂと、酸化剤ガス流路４２とを囲繞してこれらを連通させる一方、面１６ｂで冷却媒体入口２２ａと、冷却媒体出口２２ｂと、冷却媒体流路４４とを囲繞してこれらを連通させる。
【００３９】
このように構成される燃料電池１０の動作について、以下に説明する。
【００４０】
図１に示すように、燃料電池１０内には、水素含有ガス等の燃料ガスと、酸素含有ガスである空気等の酸化剤ガスと、純水やエチレングリコールやオイル等の冷却媒体とが供給される。このため、矢印Ａ方向に連通している第１及び第２燃料ガス入口２０ａ、２４ａに供給された燃料ガスは、図１及び図３に示すように、前記第１燃料ガス入口２０ａから第１金属セパレータ１４の燃料ガス流路３８に導入されるとともに、前記第２燃料ガス入口２４ａから前記燃料ガス流路３８に導入される。
【００４１】
このため、燃料ガス流路３８では、第１燃料ガス入口２０ａから供給された燃料ガスが、第１の略Ｕ字状流路３８ａを通って第１燃料ガス出口２０ｂに排出されるとともに、第２燃料ガス入口２４ａから供給された燃料ガスが、第２の略Ｕ字状流路３８ｂを通って第２燃料ガス出口２４ｂに排出される。従って、燃料ガスは、電解質膜・電極構造体１２を構成するアノード側電極３２に沿って移動する。
【００４２】
一方、第１及び第２酸化剤ガス入口２６ａ、２８ａに供給された酸化剤ガスは、図１及び図４に示すように、第２金属セパレータ１６に設けられている酸化剤ガス流路４２に導入される。この酸化剤ガスは、矢印Ｃ方向（図１参照）に略直線的に延在する略直線状流路４２ａを通って第１及び第２酸化剤ガス出口２６ｂ、２８ｂに排出される。これにより、酸化剤ガスは、電解質膜・電極構造体１２を構成するカソード側電極３４に沿って移動する。
【００４３】
従って、電解質膜・電極構造体１２では、アノード側電極３２に供給される燃料ガスと、カソード側電極３４に供給される酸化剤ガスとが、電極触媒層内で電気化学反応により消費され、発電が行われる（図２参照）。
【００４４】
次いで、アノード側電極３２に供給されて消費された燃料ガスは、第１及び第２燃料ガス出口２０ｂ、２４ｂに排出される（図３参照）。同様に、カソード側電極３４に供給されて消費された酸化剤ガスは、第１及び第２酸化剤ガス出口２６ｂ、２８ｂに排出される（図４参照）。
【００４５】
また、冷却媒体入口２２ａに供給された冷却媒体は、第１及び第２金属セパレータ１４、１６間に形成される冷却媒体流路４４に導入される。この冷却媒体は、電解質膜・電極構造体１２を冷却した後、冷却媒体出口２２ｂに排出される（図１参照）。
【００４６】
この場合、第１の実施形態では、図１及び図３に示すように、燃料ガス流路３８が、第１金属セパレータ１４の面１４ａ内に沿って延在する２系統の第１及び第２の略Ｕ字状流路３８ａ、３８ｂを構成している。このため、アノード側電極３２の矩形状電極面の隅部にも、燃料ガスを確実に供給することができる。
【００４７】
これにより、アノード側電極３２では、電極面の隅部に燃料ガスの供給不足が発生することがなく、前記電極面内にわたって前記燃料ガスを円滑且つ均一に供給することが可能になる。従って、燃料電池１０は、発電不良が阻止されて電極面内での発電分布が容易に均一化されるという効果が得られる。
【００４８】
しかも、電極面の隅部では、燃料ガスの流速が遅くなることがなく、結露水の排水性が良好に向上する。さらに、第１及び第２燃料ガス入口２０ａ、２４ａと第１及び第２燃料ガス出口２０ｂ、２４ｂとにおいて、燃料ガスの流量及び流速が均一化されるため、電解質膜・電極構造体１２の耐久性が向上するとともに、圧損の低減も図られる。
【００４９】
一方、酸化剤ガス流路４２は、図４に示すように、第２金属セパレータ１６の面１６ａ内に沿って延在する略直線状流路４２ａを構成しており、燃料ガスに比べて流量の大きな酸化剤ガスは、カソード側電極３４の電極面内に均一に供給される。従って、簡単な構成で、電極面内での発電分布が均一化されるとともに、結露水の排水が円滑に遂行可能になる。
【００５０】
さらに、燃料ガス流路３８を構成する第１及び第２の略Ｕ字状流路３８ａ、３８ｂと、酸化剤ガス流路４２を構成する略直線状流路４２ａとは、略対向流を構成している。このため、酸化剤ガス流路４２で生成された生成水は、燃料ガス流路３８に有効に拡散し、燃料電池１０を無過失乃至低加湿で容易に運転することができるという利点がある。
【００５１】
さらにまた、第１及び第２金属セパレータ１４、１６には、エンボス乃至ディンプル加工によって複数の突起部３６ａ、３６ｂ、４０ａ及び４０ｂが形成されている。これにより、簡単な構成で、所望の燃料ガス流路３８及び酸化剤ガス流路４２、さらには冷却媒体流路４４が容易に形成される。
【００５２】
図５は、本発明の第２の実施形態に係る燃料電池６０の要部分解斜視図である。なお、第１の実施形態に係る燃料電池１０と同一の構成要素には同一の参照符号を付して、その詳細な説明は省略する。
【００５３】
燃料電池６０は、電解質膜・電極構造体１２を挟持する矩形状の第１及び第２金属セパレータ６２、６４を備える。図５及び図６に示すように、第１金属セパレータ６２には、第１及び第２燃料ガス入口２０ａ、２４ａ間と、第１及び第２燃料ガス出口２０ｂ、２４ｂ間とにわたって、それぞれ複数の突起部６６ａ、６６ｂが逆方向に突出して交互に設けられる。矢印Ｃ方向に離間する突起部６６ａ、６６ａ間（距離Ｈの範囲内）には、矢印Ｃ方向に延在する複数の波状流路６８が形成される。
【００５４】
突起部６６ａ及び波状流路６８とアノード側電極３２との間には、燃料ガス流路７０が設けられる。この燃料ガス流路７０は、第１燃料ガス入口２０ａ及び第１燃料ガス出口２０ｂに連通する第１の略Ｕ字状流路７０ａと、第２燃料ガス入口２４ａ及び第２燃料ガス出口２４ｂに連通する第２の略Ｕ字状流路７０ｂとの２系統の流路を構成する。
【００５５】
図５及び図７に示すように、第２金属セパレータ６４には、第１及び第２燃料ガス入口２０ａ、２４ａ間と、第１及び第２燃料ガス出口２０ｂ、２４ｂ間とにわたって、それぞれ複数の突起部７２ａ、７２ｂが逆方向に突出して交互に設けられる。矢印Ｃ方向に離間する突起部７２ａ、７２ａ間（距離Ｈの範囲内）には、矢印Ｃ方向に延在する複数の波状流路７４が形成される。
【００５６】
第２金属セパレータ６４の面６４ａには、突起部７２ａ及び波状流路７４とカソード側電極３４との間に位置して、矢印Ｃ方向に略直線状に延在する酸化剤ガス流路７６が設けられる。この酸化剤ガス流路７６は、第１及び第２の略Ｕ字状流路７０ａ、７０ｂと略対向流に構成される。
【００５７】
第２金属セパレータ６４の面６４ｂには、突起部６６ｂ、７２ｂを介して冷却媒体入口２２ａと冷却媒体出口２２ｂとを連通する冷却媒体流路７８が形成される。この冷却媒体流路７８は、図８に示すように、第１及び第２金属セパレータ６２、６４の波状流路６８、７４の間隙を繋いで形成されている。
【００５８】
このように構成される第２の実施形態では、アノード側電極３２及びカソード側電極３４の各電極面の隅部にも、燃料ガス及び酸化剤ガスを確実に供給することができ、前記電極面内での発電分布が容易に均一化される等、第１の実施形態と同様の効果が得られる。しかも、燃料ガス流路７０及び酸化剤ガス流路７６は、波状流路６８、７４を有しており、この波状流路６８、７４に沿って燃料ガス及び酸化剤ガスを一層円滑且つ確実に流すことができ、発電効率の向上が容易に図られる。
【００５９】
なお、第１及び第２の実施形態では、燃料ガス流路３８は、２系統の第１及び第２の略Ｕ字状流路３８ａ、３８ｂを構成するとともに、燃料ガス流路７０は、２系統の第１及び第２の略Ｕ字状流路７０ａ、７０ｂを構成しているが、これに限定されるものではない。例えば、それぞれ３系統以上の略Ｕ字状流路を構成する燃料ガス流路（図示せず）を用いてもよい。また、アノード側電極３２及びカソード側電極３４は、矩形状に限定されるものではなく、多角形状等、種々の形状に構成することができる。
【図面の簡単な説明】
【００６０】
【図１】本発明の第１の実施形態に係る燃料電池の要部分解斜視図である。
【図２】前記燃料電池の一部断面説明図である。
【図３】前記燃料電池を構成する第１金属セパレータの正面説明図である。
【図４】前記燃料電池を構成する第２金属セパレータの正面説明図である。
【図５】本発明の第２の実施形態に係る燃料電池の要部分解斜視図である。
【図６】前記燃料電池を構成する第１金属セパレータの正面説明図である。
【図７】前記燃料電池を構成する第２金属セパレータの正面説明図である。
【図８】前記第1及び第２金属セパレータに設けられた波状流路の斜視説明図である。
【図９】特許文献１に係るセパレータ板の正面説明図である。
【符号の説明】
【００６１】
１０、６０…燃料電池                    １２…電解質膜・電極構造体
１４、１６、６２、６４…金属セパレータ  １８ａ〜１８ｄ…辺
２０ａ、２４ａ…燃料ガス入口            ２０ｂ、２４ｂ…燃料ガス出口
２２ａ…冷却媒体入口                    ２２ｂ…冷却媒体出口
２６ａ、２８ａ…酸化剤ガス入口          ２６ｂ、２８ｂ…酸化剤ガス出口
３０…固体高分子電解質膜                ３２…アノード側電極
３４…カソード側電極
３６ａ、３６ｂ、４０ａ、４０ｂ、６６ａ、６６ｂ、７２ａ、７２ｂ…突起部
３８、７０…燃料ガス流路
３８ａ、３８ｂ、７０ａ、７０ｂ…略Ｕ字状流路
４２、７６…酸化剤ガス流路              ４２ａ…略直線状流路
４４…冷却媒体流路                      ７４…波状流路
【図１】
2005100753.tif 000003
【図２】
2005100753.tif 000004
【図３】
2005100753.tif 000005
【図４】
2005100753.tif 000006
【図５】
2005100753.tif 000007
【図６】
2005100753.tif 000008
【図７】
2005100753.tif 000009
【図８】
2005100753.tif 000010
【図９】
2005100753.tif 000011